(57)【要約】【課題】縮小表示された画像からユーザが拡大する画像を選択して、選択された画像を拡大表示する場合に、ユーザによる操作の負担を軽減した画像処理装置及びその制御方法、並びにプログラムを提供する。【解決手段】画像処理装置１００は、複数の画像を各々縮小させた縮小画像としてＣＲＴディスプレイ１０１に表示する縮小画像表示手段と、ＣＲＴディスプレイ１０１に表示された縮小画像のうち、ユーザにより選択された縮小画像の各々を拡大した拡大画像を順にＣＲＴディスプレイ１０１に表示する拡大表示手段と備えたことを特徴とする。【選択図】図３
2012221364.tif 000002
【特許請求の範囲】
【請求項１】
複数の画像から選択された画像を処理するとともに、情報を表示する表示手段を備えた画像処理装置であって、
前記複数の画像を各々縮小させた縮小画像として前記表示手段に表示する縮小画像表示手段と、
前記表示手段に表示された縮小画像のうち、ユーザにより選択された縮小画像の各々を拡大した拡大画像を順に前記表示手段に表示する拡大表示手段と
を備えたことを特徴とする画像処理装置。
【請求項２】
前記ユーザにより選択された縮小画像は、当該縮小画像が示す画像に対して予め定められた処理を行うために選択された縮小画像であり、
前記表示手段に拡大画像として表示された縮小画像を、前記表示手段に表示する他の縮小画像表示手段をさらに備えたことを特徴とする請求項１記載の画像処理装置。
【請求項３】
前記拡大表示手段により前記拡大画像が前記表示手段に表示されているときに、前記予め定められた処理を前記ユーザの指示により実行するための実行指示画像をさらに表示することを特徴とする請求項２記載の画像処理装置。
【請求項４】
前記実行指示画像により、前記ユーザによる前記予め定められた処理を実行する指示がされた場合には、前記拡大表示手段による拡大表示を中止することを特徴とする請求項３記載の画像処理装置。
【請求項５】
前記拡大表示手段は、拡大表示を開始してから予め定められた時間が経過した場合には、拡大表示を中止することを特徴とする請求項１乃至４のいずれか１項に記載の画像処理装置。
【請求項６】
前記拡大表示手段は、拡大表示を開始してから予め定められた数だけ縮小画像を拡大表示した場合には、拡大表示を中止することを特徴とする請求項１乃至４のいずれか１項に記載の画像処理装置。
【請求項７】
前記拡大表示手段により前記拡大画像が前記表示手段に表示されているときに、現に表示されている拡大画像に対応する画像に対し、前記予め定められた処理を前記ユーザの指示により実行させないようにするための実行取り消し画像を前記表示手段にさらに表示することを特徴とする請求項１乃至６のいずれか１項に記載の画像処理装置。
【請求項８】
前記拡大表示手段により前記拡大画像が前記表示手段に表示されている場合に、現に表示されている拡大画像に対応する画像が既に前記予め定められた処理を実行する画像となっているとき、前記予め定められた処理を実行する画像であることをユーザに明示することを特徴とする請求項１乃至７のいずれか１項に記載の画像処理装置。
【請求項９】
前記拡大表示手段により前記拡大画像が前記表示手段に表示されている場合に、現に表示されている拡大画像に対応する画像が前記予め定められた処理を実行する画像として適していないとき、前記予め定められた処理を実行する画像として適していないことをユーザに明示することを特徴とする請求項１乃至８のいずれか１項に記載の画像処理装置。
【請求項１０】
複数の画像から選択された画像を処理するとともに、情報を表示する表示手段を備えた画像処理装置の制御方法であって、
前記複数の画像を各々縮小させた縮小画像として前記表示手段に表示する縮小画像表示ステップと、
前記表示手段に表示された縮小画像のうち、ユーザにより選択された縮小画像の各々を拡大した拡大画像を順に前記表示手段に表示する拡大表示ステップと
を備えたことを特徴とする制御方法。
【請求項１１】
複数の画像から選択された画像を処理するとともに、情報を表示する表示手段を備えた画像処理装置の制御方法をコンピュータに実行させるためのプログラムであって、
前記制御方法は、
前記複数の画像を各々縮小させた縮小画像として前記表示手段に表示する縮小画像表示ステップと、
前記表示手段に表示された縮小画像のうち、ユーザにより選択された縮小画像の各々を拡大した拡大画像を順に前記表示手段に表示する拡大表示ステップと
を備えたことを特徴とするプログラム。
【発明の詳細な説明】
【技術分野】
【０００１】
本発明は、画像処理装置及びその制御方法、並びにプログラムに関し、特に、縮小表示された画像を拡大表示させる画像処理装置及びその制御方法、並びにプログラムに関する。
【背景技術】
【０００２】
近年、デジタルカメラの普及に伴い、撮影した画像を印刷機器で印刷したりインターネットを利用して送信したりするための手段として、コンピュータを用いたデジタル画像の出力環境が整備されてきている。
【０００３】
これによって、コンピュータ上のアプリケーションプログラムや印刷システム、インターネットシステムを使用して、多くの画像処理手段が開発されている。
【０００４】
一方で、デジタルカメラやインターネットが普及し、またデジタルカメラのメモリも増大しており、画像が多数撮影されるようになるとともに使用される画像数が大きくなってきた。このため画像を多数表示してその一部の画像を選択してから所望の画像処理を行う画像処理方法もある。
【０００５】
従来、縮小表示された画像から拡大表示する画像を選択して、選択された画像を拡大表示する画像処理方法において、選択により確定された画像の内容を確認する場合、拡大表示用のパネルを開いて画像を拡大表示して確認するということが一般に行われている。
【０００６】
また従来、選択された画像を予め定められた時間だけ拡大して表示することで選択された画像の内容を確認する方法が提示されている（例えば、特許文献１参照）。
【先行技術文献】
【特許文献】
【０００７】
【特許文献１】特開２００２−０９９２７１号公報
【発明の概要】
【発明が解決しようとする課題】
【０００８】
しかしながら上述したような画像処理方法では、選択処理終了後、画像を拡大して確認操作するため操作ステップが多くなる。具体的には概ね以下のステップが必要となる。
・画像選択する。画像選択が終了まで何度か繰り返す。
・拡大する画像を選択する。
・選択された画像を拡大表示する。このとき、新規に拡大表示用のパネルを出すなどして表示領域を新たに作成する。
・拡大表示する画像を変更する。
・拡大表示処理を終了する 
これはユーザが操作する処理が多くなってしまい、ユーザの負担を軽減することが必要となってくる。
【０００９】
また上記特許文献１に開示された技術では、１枚の画像が全画面で拡大表示される構成であり定められた時間拡大表示される。従って、選択したい複数の画像を順次拡大表示することができない。また、次の選択処理や別処理に進む場合、拡大表示処理の終了を待つ必要があるので即座に次の操作ができないという問題があった。
【００１０】
画像選択操作と選択確定操作を実行するだけで拡大表示で複数の画像を順次確認することができるので画像選択処理の操作性が向上し、ユーザの処理を軽減できる。
【００１１】
本発明の目的は、縮小表示された画像からユーザが拡大する画像を選択して、選択された画像を拡大表示する場合に、ユーザによる操作の負担を軽減した画像処理装置及びその制御方法、並びにプログラムを提供することにある。
【課題を解決するための手段】
【００１２】
上記目的を達成するために、請求項１の画像処理装置は、複数の画像から選択された画像を処理するとともに、情報を表示する表示手段を備えた画像処理装置であって、前記複数の画像を各々縮小させた縮小画像として前記表示手段に表示する縮小画像表示手段と、前記表示手段に表示された縮小画像のうち、ユーザにより選択された縮小画像の各々を拡大した拡大画像を順に前記表示手段に表示する拡大表示手段と備えたことを特徴とする。
【発明の効果】
【００１３】
本発明によれば、縮小表示された画像からユーザが拡大する画像を選択して、選択された画像を拡大表示する場合に、ユーザによる操作の負担を軽減した画像処理装置及びその制御方法、並びにプログラムを提供することができる。
【図面の簡単な説明】
【００１４】
【図１】本発明の実施の形態に係る画像処理装置の概略構成を示す図である。
【図２】図１におけるＣＰＵが画像処理プログラムを実行してＣＲＴディスプレイに表示するウィンドウ遷移の一例を示す図である。
【図３】図１におけるＣＰＵにより実行される画像選択確定処理の手順を示すフローチャートである。
【図４】図３のステップＳ３０２で実行される拡大表示処理の手順を示すフローチャートである。
【図５】図３のステップＳ３０２で実行される拡大表示処理の手順を示すフローチャートである。
【図６】図４のステップＳ４０２、及び図５のステップＳ５０２で実行される拡大表示終了判定処理の手順を示すフローチャートである。
【図７】選択候補の画像の拡大表示中に表示画像を選択解除する処理を実行する場合のウィンドウの動作を説明するための図である。
【発明を実施するための形態】
【００１５】
以下、本発明の実施の形態について図面を参照しながら詳述する。
【００１６】
図１は、本発明の実施の形態に係る画像処理装置１００の概略構成を示す図である。
【００１７】
図１において、ＣＲＴディスプレイ１０１（表示手段）の表示画面には、表示する情報として例えば、画像やサムネイル画像（縮小画像）の一覧表示、アイコンやメッセージ、メニューその他のユーザインターフェース情報が表示される。なお、サムネイル画像は全ての画像について予め作成してもよいし、一部の画像について必要に応じて作成するようにしてもよい。
【００１８】
ＶＲＡＭ１０２には、ＣＲＴディスプレイ１０１の表示画面に表示するための画像が描画（生成）される。このＶＲＡＭ１０２に生成された画像データは、所定の規定に従ってＣＲＴディスプレイ１０１に転送され、これにより、ＣＲＴディスプレイ１０１に画像が表示される。
【００１９】
ＢＭＵ（ビットムーブユニット）１０３は、例えば、メモリ間（例えば、ＶＲＡＭ１０２と他のメモリ）のデータ転送や、メモリと各Ｉ／Ｏデバイス（例えば、ネットワークインターフェース１１１）との間のデータ転送を制御する。
【００２０】
キーボード１０４は、文書等を入力するための各種キーを有する。ＰＤ（ポインティングデバイス）１０５は、例えば、ＣＲＴディスプレイ１０１の表示画面上に表示されたアイコン、メニューその他のオブジェクトを指示するために使用される。
【００２１】
ＣＰＵ１０６は、ＲＯＭ１０７、ＨＤＤ１０９又はフレキシブルディスクに格納された制御プログラムに基づいて、ＣＰＵ１０６に接続された各デバイスを制御する。
【００２２】
ＲＯＭ１０７は、各種の制御プログラムやデータを保持する。ＲＡＭ１０８は、ＣＰＵ１０６のワーク領域、エラー処理時のデータの退避領域、制御プログラムのロード領域等を有する。ＨＤＤ１０９は、画像処理装置１００内で実行される各制御プログラムやコンテンツを格納することができる。
【００２３】
例えば、ＨＤＤ１０９には、画像データ、サムネイル画像データ、画像表示プログラム等が格納されている。例えば、オペレーティングシステム（ＯＳ）のファイルシステム上に、フォルダを作成し、デジタルカメラ等の外部の画像入力装置から入力された画像データがフォルダに全て保存される。また、保存された画像は削除や移動が可能である。
【００２４】
ＦＤＤ（フレキシブルディスクドライブ）１１０は、フレキシブルディスクに対するアクセスを制御する。ネットワークインターフェース１１１は、他の情報処理装置やプリンタ等とインターネット１１３を介して通信を行うことができる。
【００２５】
ＣＰＵバス１１２は、アドレスバス、データバス及びコントロールバスを含む。ＣＰＵ１０６に対する制御プログラムの提供は、ＲＯＭ１０７、ＨＤＤ１０９、ＦＤＤ１１０から行うこともできるし、ネットワークインターフェース１１１を介してインターネット１１３経由で他の情報処理装置等から行うこともできる。
【００２６】
図２は、画像処理装置におけるＣＰＵ１０６が画像処理プログラムを実行してＣＲＴディスプレイ１０１に表示するウィンドウ遷移の一例を示す図である。具体的に、（Ａ）は選択元画像表示領域２０１において、ＨＤＤ１０９に保存されている複数の画像の中から、いくつかの画像を候補としてユーザにより選択されたサムネイル画像が表示された画面を示す。（Ｂ）は拡大表示画像の選択後、ユーザにより選択されたサムネイル画像の各々を拡大した拡大画像が順に表示される画面を示し、（Ｃ）は拡大表示の終了で選択された画像を縮小表示した画面を示している。
【００２７】
選択元画像表示領域２０１には選択元の画像が表示される領域でＨＤＤ１０９に保存されている画像の全て又は一部の画像のサムネイル画像が表示される。選択確定画像表示領域２０２には選択された画像のサムネイル画像が表示される。選択ボタン２０３は選択確定を指示するためのボタンである。ユーザにより選択された縮小画像は、当該縮小画像が示す画像に対して予め定められた処理を行うために選択された縮小画像である。予め定められた処理を、以下の説明では次の処理と表現することがある。このように、画像処理装置１００は、複数の画像を各々縮小させたサムネイル画像としてＣＲＴディスプレイ１０１に表示する縮小画像表示手段を備えている。
【００２８】
次へボタン２０５は選択確定された画像に対して次の処理を行うように指示するボタンで、戻るボタン２０６は前の処理へ戻るように指示するボタンである。上述した次の処理として、例えば、選択確定された画像のスライドショー再生や印刷などの出力処理が挙げられる。このように、画像処理装置１００は、拡大画像がＣＲＴディスプレイ１０１に表示されているときに、次の処理をユーザの指示により実行するための次へボタン２０５（実行指示画像）をさらに表示する。
【００２９】
図２（Ａ）では選択元画像の中から候補の画像が２つ選択されて枠が強調表示されている。次に選択ボタン２０３を押下すると図２（Ｂ）へ画面が遷移する。拡大表示領域２０４が作成され選択されている２枚の候補画像が拡大表示領域２０４に拡大されて順に表示される。拡大表示領域２０４に表示する画像は一定時間で自動的に変更するか、キーボード１０４やＰＤ１０５の操作を判定して手動で変更するようにしてもよいが、この画像の変更処理に関しては後で詳述する。
【００３０】
次に拡大表示が終了した場合、図２（Ｂ）から図２（Ｃ）へ画面が遷移する。図２（Ｂ）で表示された拡大表示領域２０４が削除されて非表示となり、選択が確定された画像が選択確定画像表示領域２０２に縮小画像で表示される。この時、選択確定する候補の画像は選択確定画像表示領域２０２に追加されている。拡大表示を終了する処理に関しては後で詳述する。このように、画像処理装置１００は、ＣＲＴディスプレイ１０１に拡大画像として表示されたサムネイル画像を、ＣＲＴディスプレイ１０１に表示する他の縮小画像表示手段をさらに備えている。
【００３１】
図３は、図１におけるＣＰＵ１０６により実行される画像選択確定処理の手順を示すフローチャートである。
【００３２】
図３に示されるフローチャートは、画像選択確定方法の一実施例であり、それを実行するためのソフトウェアとしてＲＯＭ１０７に格納されるプログラムの流れを示すフローチャートである。このプログラムに従ってＣＰＵ１０６は画像選択確定および画像拡大表示の処理を実行する。
【００３３】
具体的には図２（Ａ）の選択ボタン２０３が押下されてから拡大表示を終了するまでの画像処理を示すフローチャートである。
【００３４】
図３において、ＨＤＤ１０９から選択された画像のリストを取得する（ステップＳ３０１）。次いで、後に図４、図５で説明される拡大表示処理を実行する（ステップＳ３０２）（拡大表示手段）。このステップＳ３０２では、上記ステップＳ３０１で取得した画像を拡大する処理が行われる。
【００３５】
そして、拡大表示処理が終了すると、選択された画像を選択確定画像データに追加して（ステップＳ３０３）、本処理を終了する。
【００３６】
図４は、図３のステップＳ３０２で実行される拡大表示処理の手順を示すフローチャートである。
【００３７】
図４に示されるフローチャートは、拡大表示処理の一実施例を示しており、拡大表示領域２０４に表示される画像が一定時間で順次変更される場合の処理を示すフローチャートである。
【００３８】
図４において、拡大表示する画像リストから画像を選択し、拡大表示領域２０４で拡大表示する（ステップＳ４０１）。ここでの画像リストとして、例えば拡大表示することをユーザにより選択された順に並べられた画像のリストが挙げられる。そして、このステップＳ４０１は繰り返し実行される可能性があるが、画像リスト順に画像を表示することとなる。
【００３９】
次いで、拡大画像を表示する処理が終了するか否かを判定する拡大表示終了判定処理を実行する（ステップＳ４０２）。この拡大表示終了判定処理は、後に図６を用いて説明する。
【００４０】
次いで、画像の拡大表示開始から一定時間が経過したか否かを判別する（ステップＳ４０３）。ステップＳ４０３の判別の結果、一定時間が経過すると（ステップＳ４０３でＹＥＳ）、さらにステップＳ４０２の拡大表示終了判定処理において、終了と判定されたか否かを判別する（ステップＳ４０４）。
【００４１】
ステップＳ４０４の判別の結果、ステップＳ４０２で終了しないと判定されたとき（ステップＳ４０４でＮＯ）、ステップＳ５０１に戻る。このとき、拡大表示の対象として、上記画像リストのうち次の画像を選択する。一方、ステップＳ４０２で終了すると判定されたとき（ステップＳ４０４でＹＥＳ）、本処理を終了する。以上のようにして、一定時間経過する毎に画像を順次変更して拡大表示する。 
【００４２】
図５は、図３のステップＳ３０２で実行される拡大表示処理の手順を示すフローチャートである。
【００４３】
図５に示されるフローチャートは、拡大表示処理の一実施例で、拡大表示領域２０４に表示される画像が、キーボード１０４やＰＤ１０５を使用して行うユーザ操作で変更する場合の処理を示すフローチャートである。
【００４４】
図５において、拡大表示する画像リストから画像を選択し、拡大表示領域２０４で拡大表示する（ステップＳ５０１）。ここでの画像リストは、図４において説明した通りである。
【００４５】
次いで、拡大画像を表示する処理が終了するか否かを判定する拡大表示終了判定処理を実行する（ステップＳ５０２）。この拡大表示終了判定処理は、後に図６を用いて説明する。
【００４６】
次いで、画像の拡大表示開始から一定時間が経過したか否かを判別する（ステップＳ５０３）。ステップＳ５０３の判別の結果、一定時間が経過すると（ステップＳ５０３でＹＥＳ）、さらにステップＳ５０２の拡大表示終了判定処理において、終了と判定されたか否かを判別する（ステップＳ５０５）。
【００４７】
ステップＳ５０５の判別の結果、ステップＳ５０２で終了しないと判定されたとき（ステップＳ５０５でＮＯ）、ステップＳ５０１に戻る。このとき、拡大表示の対象として、上記画像リストのうち次の画像を選択する。一方、ステップＳ５０２で終了すると判定されたとき（ステップＳ５０５でＹＥＳ）、本処理を終了する。
【００４８】
一方、ステップＳ５０３の判別の結果、一定時間経過していないとき（ステップＳ５０３でＮＯ）、ユーザ操作が拡大表示画像を遷移させる操作であるか否かを判別する（ステップＳ５０４）。
【００４９】
ステップＳ５０４の判別の結果、ユーザ操作が拡大表示画像を遷移させる操作であるとき（ステップＳ５０４でＹＥＳ）、ステップＳ５０１の処理に戻る。ユーザ操作が拡大表示画像を遷移させる操作ではないとき（ステップＳ５０４でＮＯ）、ステップＳ５０３の処理に戻る。
【００５０】
なお、上記ステップＳ５０４におけるユーザ操作の種類を予め定めておくようにしてもよい。例えばマウスポインタを右に移動させる右操作、マウスポインタを左に移動させる左操作を定めておき、右操作の場合は次の画像を拡大表示するように遷移し、左操作の場合は前の画像を拡大表示するように遷移させるようにしてもよい。
【００５１】
このように画像を遷移させるユーザ操作としては拡大画像領域内でポインティングデバイスの入力がある場合や、キーボードのキー入力で決まったキーの入力がある場合で、その入力によって次の画像に変更するか前の画像を拡大表示するように遷移する。
【００５２】
或いは、拡大表示終了判定で拡大表示を終了するユーザ操作としては、以下の操作が挙げられる。まず、ポインティングデバイスで次へボタン２０５や戻るボタン２０６を押下して操作画面の遷移処理を開始するための操作がある。また、ポインティングデバイスを用いて選択元画像表示領域２０１で入力することで次の選択処理を開始する操作などで、別の処理が開始される段階で拡大表示を自動的に終了して次の操作に進むようにしてもよい。従って、次へボタン２０５により、ユーザによる次の処理を実行する指示がされた場合には、拡大表示を中止するようにしてもよい。
【００５３】
さらに、拡大表示終了判定処理における拡大表示終了条件は、ユーザ操作に応じて設定される。例えば、一定時間の経過で順次拡大画像が変更される場合では、選択確定する候補の画像を一通り見て拡大表示を終了するために、選択が確定された候補の画像数を設定する。また、全体の時間Ｔを設定し、選択が確定された候補の画像数Ｎで割った（Ｔ／Ｎ）で各画像を表示し、時間Ｔの経過後に拡大表示を終了するようにしてもよい。
【００５４】
このように、本実施の形態では、拡大表示を開始してから予め定められた時間が経過した場合には、拡大表示を中止したり、拡大表示を開始してから予め定められた数だけ縮小画像を拡大表示した場合には、拡大表示を中止するようになっている。
【００５５】
図６は、図４のステップＳ４０２、及び図５のステップＳ５０２で実行される拡大表示終了判定処理の手順を示すフローチャートである。
【００５６】
図６において、まずユーザ操作の判定をする（ステップＳ６０１）。その判定されたユーザ操作が、拡大表示を終了するユーザ操作であるか否かを判別する（ステップＳ６０２）。ステップＳ６０２の判別の結果、ユーザ操作が拡大表示を終了するユーザ操作のとき（ステップＳ６０２）、終了と判定して本処理を終了する。
【００５７】
ステップＳ６０２の判別の結果、拡大表示を終了するユーザ操作ではないとき（ステップＳ６０２でＮＯ）、表示回数で終了する設定となっているか否かを判別する（ステップＳ６０３）。この表示回数で終了する設定とは、拡大表示する画像数だけ画像を拡大表示したときに終了する設定である。
【００５８】
ステップＳ６０３の判別の結果、表示回数で終了する設定となっているとき（ステップＳ６０３でＹＥＳ）、さらにその表示回数分表示したか否か判別する（ステップＳ６０４）。ステップＳ６０４での判別の結果、表示回数分表示したとき（ステップＳ６０４）、終了と判定して本処理を終了する。
【００５９】
一方、ステップＳ６０４で否定判別（ステップＳ６０４でＮＯ）、又はステップＳ６０３で否定判別したとき（ステップＳ６０３でＮＯ）、時間の経過で終了する設定か否か判別する（ステップＳ６０５）。この時間の経過で終了する設定とは、上述した時間Ｔの経過後に拡大表示を終了する設定である。
【００６０】
ステップＳ６０５の判別の結果、時間の経過で終了する設定ではないとき（ステップＳ６０５でＮＯ）、終了せずと判定して本処理を終了する。
【００６１】
一方、時間の経過で終了する設定であるとき（ステップＳ６０５でＹＥＳ）、時間が経過したか否か判別し（ステップＳ６０６）、時間が経過したときは（ステップＳ６０６でＹＥＳ）、終了と判定し処理を終了する。時間が経過していないときは（ステップＳ６０６０でＮＯ）、終了せずと判定して本処理を終了する。
【００６２】
なお、上記ステップＳ６０２において拡大表示を終了するユーザ操作としては別の処理が開始される操作全般を適応するようにしてもよい。
【００６３】
例えば、選択確定した画像に対して、次へボタン２０５を用いて選択確定画像で次に行いたい操作へ移る場合に拡大表示処理を終了する。また選択操作を再度実行する操作や戻るボタン２０６で前処理に移る場合など別の処理が実行される段階で拡大表示処理を終了する。
【００６４】
次に行いたい操作をすることで拡大表示処理が終了しそのまま処理を継続できるので、次の画像処理にスムーズに移行できる。また、設定した回数の画像表示が終了するか設定時間が経過することで拡大表示処理が終了しそのまま処理を継続できるので、選択確定した画像数が多くても長時間待つことなく次の画像処理に移行できる。
【００６５】
図７は、選択候補の画像の拡大表示中に表示画像を選択解除する処理を実行する場合のウィンドウの動作を説明するための図である。
【００６６】
図７（Ａ）は、拡大表示中の選択候補画像を選択しないように操作する場合の表示例を示す図である。拡大表示領域に選択解除するボタン７０１を持ち、押下すると対象画像の拡大表示を終了し拡大表示終了時に対象の画像を選択確定データに追加しないようにする。拡大表示中の画像を選択しないように操作することができるので、画像内容を確認しながら選択解除操作をすることができる。このように、本実施の形態では、拡大画像がＣＲＴディスプレイ１０１に表示されているときに以下の表示が行われる。すなわち、現に表示されている拡大画像に対応する画像に対し、次の処理をユーザの指示により実行させないようにするための選択解除するボタン７０１（実行取り消し画像）をＣＲＴディスプレイ１０１にさらに表示する。
【００６７】
また、図７（Ｂ）は、拡大表示中に選択候補画像が選択する画像として適さない場合に選択しないようにする場合の表示例を示す図である。表示領域にメッセージパネル７０２を表示してユーザに選択画像として適さない旨を表示し、拡大表示終了時にメッセージパネル７０２を削除し、対象の画像を選択確定画像に追加しないようにする。
【００６８】
選択画像として適さない例として、拡大表示中の選択候補画像が選択された画像として既に選択確定データに存在する場合、重複している旨を通知し選択確定データに追加しないようにする。このように、本実施の形態では、拡大画像がＣＲＴディスプレイ１０１に表示されている場合に、現に表示されている拡大画像に対応する画像が既に次の処理を実行する画像となっているとき、次の処理を実行する画像であることをユーザに明示する。
【００６９】
拡大表示中の選択候補画像が次に行う画像処理に適さない画像である場合、例えば解像度不足や非対象の画像であるとき、適さない条件を通知し選択確定データに追加しないようにする。解像度不足の場合はメッセージパネル７０２をメッセージパネル７０３に代えて表示する。このように、拡大表示中の画像が選択に適さない条件の画像である場合、適さない条件が通知されるので、選択に適さない画像の確認が容易にできる。このように、本実施の形態では、拡大画像がＣＲＴディスプレイ１０１に表示されている場合に、現に表示されている拡大画像に対応する画像が次の処理を実行する画像として適していないとき、次の処理を実行する画像として適していないことをユーザに明示する。
【００７０】
以上のようにすることで、画像の中から操作対象とする画像を、容易な操作でかつ的確に確認しつつ選択する手段を実現する。
【００７１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００７２】
１００  画像処理装置
１０４  キーボード
１０５  ＰＤ
１０６  ＣＰＵ
１０７  ＲＯＭ
１０８  ＲＡＭ
１０９  ＨＤＤ
２０１  選択元画像表示領域
２０２  選択確定画像表示領域
２０３  選択ボタン
２０４  拡大表示領域
２０５  次へボタン
２０６  戻るボタン
【図１】
2012221364.tif 000003
【図２】
2012221364.tif 000004
【図３】
2012221364.tif 000005
【図４】
2012221364.tif 000006
【図５】
2012221364.tif 000007
【図６】
2012221364.tif 000008
【図７】
2012221364.tif 000009